【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
光学フィルムを成形する方法であって、
前記光学フィルムの第１の部分が第１のローラに接触し、前記光学フィルムの第２の部分が第２のローラに接触するように、前記光学フィルムを前記第１及び第２のローラに隣接して配置するステップであって、前記第１のローラと前記第２のローラが、第１の方向に沿って離間しており、前記光学フィルムの前記第１の部分が、前記第１の方向と直交する第２の方向に沿った第１の幅を有する、配置するステップと、
前記光学フィルムの互いに反対側にある第１の端部及び第２の端部を固定するステップであって、前記第１の端部と前記第２の端部が、前記第１の方向に沿って離間しており、前記第１及び第２の部分が、前記第１の端部と前記第２の端部との間に配置される、固定するステップと、
湾曲したモールド面を用意するステップと、
前記光学フィルムを前記第１の方向に沿って伸張させながら、前記光学フィルムを前記湾曲したモールド面と接触させることにより、前記光学フィルムを成形するステップと、を含み、
前記成形するステップは、最も近接する第１の点と第２の点との間の閾値距離をほぼ前記第１の幅未満に維持させるステップであって、前記光学フィルム上の前記第１の点が、前記第１のローラに接触し、前記光学フィルム上の前記第２の点が、前記湾曲したモールド面に接触する、維持させるステップを含む、方法。
【請求項２】
前記成形するステップは、前記光学フィルムの前記第１及び第２の端部の位置を変化させて、前記光学フィルムの前記第１の方向に沿った張力を制御するステップを含む、請求項１に記載の方法。
【請求項３】
前記張力は、前記光学フィルム内に所望の厚さ変化を生じるように制御される、請求項２に記載の方法。
【請求項４】
前記光学フィルムのガラス転移温度よりも高い温度まで前記光学フィルムを加熱することを更に含む、請求項１に記載の方法。
【請求項５】
前記方法は、前記第１の方向に沿った第１の最大弛み、及び前記第２の方向に沿った第２の最大弛みを有する成形された光学フィルムをもたらし、前記第１の最大弛みが、前記第２の最大弛み以上であり、前記第２の最大弛みが、ゼロよりも大きく、前記成形された光学フィルムの総面積の少なくとも８０％にわたる各位置が、同じ所定の波長及び同じ第１の偏光状態を有する垂直入射光に関して約８０％よりも高い反射率を有する、請求項１〜４のいずれか一項に記載の方法。
【請求項６】
光学フィルムを成形する方法であって、
前記光学フィルムの第１の部分が第１のローラに接触し、前記光学フィルムの第２の部分が第２のローラに接触するように、前記光学フィルムを前記第１及び第２のローラに隣接して配置するステップであって、前記第１のローラと前記第２のローラが、第１の方向に沿って離間しており、前記光学フィルムの前記第１の部分が、前記第１の方向と直交する第２の方向に沿った第１の幅を有する、配置するステップと、
前記光学フィルムの互いに反対側にある第１の端部及び第２の端部を固定するステップであって、前記第１の端部と前記第２の端部が、前記第１の方向に沿って離間しており、前記第１及び第２の部分が、前記第１の端部と前記第２の端部との間に配置される、固定するステップと、
湾曲したモールド面を用意するステップと、
前記光学フィルムを前記第１の方向に沿って伸張させながら、前記光学フィルムを前記湾曲したモールド面と接触させることにより、前記光学フィルムを成形するステップと、を含み、
前記成形するステップは、前記第１のローラと前記第２のローラとの間の離間距離を前記第１の方向に沿って変化させて、前記第１のローラと前記第２のローラとの間で、前記光学フィルムの長手方向の縁から離れて前記縁の間で前記第２の方向に沿った前記光学フィルムの曲がりを抑制するステップを含む、方法。
【請求項７】
光学フィルムを成形する方法であって、
前記光学フィルムの互いに反対側にある第１の端部及び第２の端部を固定するステップであって、前記第１の端部と前記第２の端部が、第１の方向に沿って離間している、第１の端部及び第２の端部を固定するステップと、
前記光学フィルムの互いに反対側にある第３の端部及び第４の端部を固定するステップであって、前記第３の端部と前記第４の端部が、前記第１の方向と直交する第２の方向に沿って離間している、第３の端部及び第４の端部を固定するステップと、
湾曲したモールド面を用意するステップと、
前記光学フィルムを伸張させながら、前記光学フィルムを前記湾曲したモールド面と接触させることにより、前記光学フィルムを成形し、少なくとも前記第１の方向に沿って湾曲している湾曲した光学フィルムをもたらすステップと、を含み、
前記成形するステップ中に前記光学フィルムを伸張させることは、前記第２の方向に沿った任意の伸張の３倍よりも大きく、前記第１の方向に沿って前記光学フィルムを伸張させることを含む、方法。
【請求項８】
複数の高分子層を含む湾曲した光学フィルムであって、前記複数の高分子層が、直交する第１及び第２の方向に沿って成形されており、
第１の曲線が前記光学フィルムと第１の平面との交線であり、前記第１の平面が前記第２の方向及び基準平面と直交し、第１の曲線が、最も適合する第１の円弧を有し、前記第１の円弧が、前記第１の円弧の曲率中心で１８０度よりも大きな第１の角度を限定しており、前記光学フィルムが、前記基準平面内に最大投影面積を有し、
第２の曲線が前記光学フィルムと第２の平面との交線であり、前記第２の平面が前記第１の方向及び前記基準平面と直交し、第２の曲線が、最も適合する第２の円弧を有し、前記第２の円弧が、前記第２の円弧の曲率中心で少なくとも３０度の第２の角度を限定しており、
前記光学フィルムの総面積の少なくとも９０％にわたる各位置が、同じ所定の波長及び同じ第１の偏光状態を有する垂直入射光に関して、約８０％よりも高い反射率及び約２％未満の透過率を有する、光学フィルム。
【請求項９】
複数の高分子層を含む湾曲した光学フィルムであって、前記複数の高分子層が、直交する第１及び第２の方向に沿って成形されており、
第１の曲線が前記光学フィルムと第１の平面との交線であり、前記第１の平面が前記第２の方向及び基準平面と直交し、第１の曲線が、最も適合する第１の円弧を有し、前記第１の円弧が、前記第１の円弧の曲率中心で少なくとも９０度の第１の角度を限定しており、前記光学フィルムが、前記基準平面内に最大投影面積を有し、
第２の曲線が前記光学フィルムと第２の平面との交線であり、前記第２の平面が前記第１の方向及び前記基準平面と直交し、第２の曲線が、最も適合する第２の円弧を有し、前記第２の円弧が、前記第２の円弧の曲率中心で少なくとも３０度の第２の角度を限定しており、
前記光学フィルムの総面積の少なくとも９０％にわたる各位置が、同じ所定の波長及び同じ第１の偏光状態を有する垂直入射光に関して、約８０％よりも高い反射率及び約２％未満の透過率を有し、
前記第１の曲線が、前記光学フィルムの中心を通過しており、前記光学フィルムが、前記第１の曲線に沿った第１の位置における第１の厚さと、前記第１の曲線に沿った第２の位置における第２の厚さと、を有し、前記第２の位置が、前記最も適合する第１の円弧の半径Ｒ１の少なくとも０．７倍の距離だけ前記第１の位置から前記第１の曲線に沿って隔てられており、前記光学フィルムの前記中心から前記第１の位置までの前記第１の曲線に沿った距離が、０．２Ｒ１以下であり、前記第２の位置から前記光学フィルムの縁までの前記第１の曲線に沿った距離が、０．２Ｒ１以下であり、前記第１の厚さと前記第２の厚さが、５％以下だけ異なっている、光学フィルム。
【請求項１０】
複数の高分子層を含む湾曲した光学フィルムであって、前記複数の高分子層が、直交する第１及び第２の方向に沿って成形されており、それにより、
第１の曲線が光学フィルムと第１の平面との交線であり、前記第１の平面が前記第２の方向及び基準平面と直交し、第１の曲線が、最も適合する第１の円弧を有し、前記第１の円弧が、前記第１の円弧の曲率中心で少なくとも９０度の第１の角度を限定しており、前記光学フィルムが、前記基準平面内に最大投影面積を有し、
第２の曲線が前記光学フィルムと第２の平面との交線であり、前記第２の平面が前記第１の方向及び前記基準平面と直交し、第２の曲線が、最も適合する第２の円弧を有し、前記第２の円弧が、前記第２の円弧の曲率中心で少なくとも３０度の第２の角度を限定しており、
前記光学フィルムの総面積の少なくとも９０％にわたる各位置が、同じ所定の波長及び同じ第１の偏光状態を有する垂直入射光に関して、約８０％よりも高い反射率及び約２％未満の透過率を有し、
前記第１の曲線が、前記光学フィルムの中心を通過しており、前記光学フィルムが、前記第１の曲線に沿った第１の位置における第１の長波長バンド端と、前記第１の曲線に沿った第２の位置における第２の長波長バンド端と、を有し、前記第２の位置が、前記最も適合する第１の円弧の半径Ｒ１の少なくとも０．７倍の距離だけ前記第１の位置から前記第１の曲線に沿って隔てられており、前記光学フィルムの前記中心から前記第１の位置までの前記第１の曲線に沿った距離が、０．２Ｒ１以下であり、前記第２の位置から前記光学フィルムの縁までの前記第１の曲線に沿った距離が、０．２Ｒ１以下であり、前記第１の長波長バンド端と前記第２の長波長バンド端が、５％以下だけ異なっている、光学フィルム。
【請求項１１】
複数の高分子層を含む光学フィルムであって、前記光学フィルムの総面積の少なくとも９０％にわたる各位置が、同じ所定の波長及び同じ第１の偏光状態を有する垂直入射光に関して、約８０％よりも高い反射率及び約５％未満の透過率を有し、直交する第１及び第２の平面が、それぞれの第１及び第２の曲線に沿って前記光学フィルムと交差し、前記第１の曲線と前記第２の曲線が、前記光学フィルムの中心位置で互いに交差している場合に、前記光学フィルムの有する厚さが、前記光学フィルムの前記中心位置から第１の縁位置まで前記第１の曲線に沿って減少し、前記中心位置から第２の縁位置まで前記第２の曲線に沿って増加する、光学フィルム。
【請求項１２】
複数の高分子層を含む光学フィルムであって、前記光学フィルムの総面積の少なくとも９０％にわたる各位置が、同じ所定の波長及び同じ第１の偏光状態を有する垂直入射光に関して、約８０％よりも高い反射率及び約５％未満の透過率を有し、直交する第１及び第２の平面が、それぞれの第１及び第２の曲線に沿って前記光学フィルムと交差し、前記第１の曲線と前記第２の曲線が、前記光学フィルムの中心位置で互いに交差している場合に、前記光学フィルムの有する長波長バンド端が、前記光学フィルムの前記中心位置から第１の縁位置まで前記第１の曲線に沿って減少し、前記中心位置から第２の縁位置まで前記第２の曲線に沿って増加する、光学フィルム。
【請求項１３】
複数の高分子層を含む湾曲した反射偏光子であって、前記複数の高分子層が、少なくとも直交する第１及び第２の方向に沿って成形されており、前記第１の方向に沿った、対応する第１の直径に対する第１の最大弛みの第１の比が、少なくとも０．１となり、前記第２の方向に沿った、対応する第２の直径に対する第２の最大弛みの第２の比が、少なくとも０．０５となっており、所定の波長範囲内の垂直入射光に関して、前記反射偏光子上の各位置が、遮蔽偏光状態に対し約８０％よりも高い最大平均反射率及び約２％未満の対応する最小平均透過率を有し、直交する通過偏光状態に対し約８０％よりも高い最大平均透過率を有し、前記反射偏光子の総面積の少なくとも８０％の面積を有する前記反射偏光子の領域内の各位置が、少なくとも５００のコントラスト比を有し、前記コントラスト比は前記最大平均透過率を前記最小平均透過率で割った値である、反射偏光子。
【請求項１４】
複数の高分子層を含む湾曲した反射偏光子であって、前記複数の高分子層が、直交する第１及び第２の方向に沿って成形されており、前記反射偏光子の全曲率が、少なくとも０．２５となっており、前記全曲率が、前記反射偏光子の総面積にわたる前記反射偏光子のガウス曲率の面積分であり、所定の波長範囲内の垂直入射光に関して、前記反射偏光子上の各位置が、遮蔽偏光状態に対し約８０％よりも高い最大平均反射率及び約２％未満の対応する最小平均透過率を有し、直交する通過偏光状態に対し約８０％よりも高い最大平均透過率を有し、前記反射偏光子の前記総面積の少なくとも８０％の面積を有する前記反射偏光子の領域内の各位置が、少なくとも５００のコントラスト比を有し、前記コントラスト比は前記最大平均透過率を前記最小平均透過率で割った値である、反射偏光子。
【請求項１５】
光学フィルムを加工するための装置であって、
第１の方向に沿って離間した第１及び第２のローラであって、前記第１及び第２のローラを前記第１の方向に沿って移動させるように構成された第１及び第２のステージにそれぞれ配置されており、前記第１の方向と直交する第２の方向に沿った第１及び第２の幅をそれぞれ有する、第１及び第２のローラと、
前記光学フィルムの互いに反対側にある第１及び第２の端部を固定するための第１及び第２の固定手段であって、前記第１及び第２のローラが、前記第１の固定手段と前記第２の固定手段との間に配置されており、前記光学フィルムの前記第１及び第２の端部が前記第１及び第２の固定手段内に固定されると、前記光学フィルムが前記第１及び第２のローラに接触するように、前記装置が構成されている、第１及び第２の固定手段と、
湾曲したモールド面を有するモールドであって、前記第１及び第２の方向と直交する第３の方向に沿って前記モールドを移動させるように構成されたモールドステージに配置されたモールドと、
前記光学フィルムを加熱するための手段と、
前記光学フィルムの張力を測定するための張力測定手段と、
前記張力測定手段、前記第１及び第２のステージ、前記第１及び第２の固定手段、並びに前記モールドステージに通信可能に接続されたコントローラであって、前記モールドを前記第３の方向に沿って移動させるのと同時に、前記光学フィルムの前記張力を制御しながら前記第１及び第２のローラを前記第１の方向に沿って移動させるように構成された、コントローラと、を備える、装置。